(57)【特許請求の範囲】
【請求項１】
一連の決済手続を含む決済処理に関する各種の画面を表示するタッチパネルと、
前記タッチパネルに表示された前記画面に対する入力操作を検出する入力操作検出部と、
所定時間以上、前記入力操作が検出されない場合に、前記タッチパネルの表示を暗い表示に移行させるモード制御部と、
前記暗い表示に移行した後、前記入力操作検出部が前記入力操作を検出したことで前記暗い表示が解除された場合に、前記タッチパネルに表示させる画面の切替要否を判断する画面切替判断部と、を備え、
前記タッチパネルに表示される各種の画面には、前記一連の決済手続を含む決済処理を実行するための階層関係がそれぞれ割り当てられ、
前記画面切替判断部は、前記暗い表示への移行直前に前記タッチパネルに表示されていた画面が前記階層関係の所定の階層より上位階層に割り当てられた画面であるのか、又は前記所定の階層より下位階層に割り当てられた画面であるのかに基づいて、画面の切替要否を判断する、
取引端末装置。
【請求項２】
一連の決済手続を含む決済処理に関する各種の画面を表示するタッチパネルと、
前記タッチパネルに表示された前記画面に対する入力操作を検出する入力操作検出部と、
所定時間以上、前記入力操作が検出されない場合に、取引端末装置をスリープモードに移行させるモード制御部と、
前記スリープモードに移行した後、前記入力操作検出部が前記入力操作を検出したことで前記スリープモードが解除された場合に、前記タッチパネルに表示させる画面の切替要否を判断する画面切替判断部と、を備え、
前記タッチパネルに表示される各種の画面には、前記一連の決済手続を含む決済処理を実行するための階層関係がそれぞれ割り当てられ、
前記画面切替判断部は、前記スリープモードへの移行直前に前記タッチパネルに表示されていた画面が前記階層関係の所定の階層より上位階層に割り当てられた画面であるのか、又は前記所定の階層より下位階層に割り当てられた画面であるのかに基づいて、画面の切替要否を判断する、
取引端末装置。
【請求項３】
請求項２に記載の取引端末装置であって、
前記スリープモードは、少なくとも前記タッチパネルへの電源供給を抑制するモードである、
取引端末装置。
【請求項４】
請求項１又は２に記載の取引端末装置であって、
前記下位階層は、前記決済手続の開始以降の画面である、
取引端末装置。
【請求項５】
請求項１に記載の取引端末装置であって、
前記画面切替判断部は、
前記暗い表示への移行直前に前記タッチパネルに表示されていた画面が、前記階層関係において規定される所定の階層より上位階層に割り当てられた画面である場合に、前記暗い表示への移行直前に前記タッチパネルに表示されていた画面を所定の画面に切り替えて前記タッチパネルに表示させる、
取引端末装置。
【請求項６】
請求項１に記載の取引端末装置であって、
前記画面切替判断部は、
前記暗い表示への移行直前に前記タッチパネルに表示されていた画面が、前記階層関係において規定される所定の階層から下位階層に割り当てられた画面である場合に、前記暗い表示への移行直前に前記タッチパネルに表示されていた画面の表示を継続させる、
取引端末装置。
【請求項７】
請求項５に記載の取引端末装置であって、
前記各種の画面は、前記一連の決済手続を含む決済処理に関する複数の画面であり、
前記所定の画面は、前記一連の決済手続を含む決済処理に関する複数の画面のうち、前記暗い表示への移行直前に前記タッチパネルに表示されていた画面に対応する階層より上位階層に割り当てられた画面である、
取引端末装置。
【請求項８】
請求項５に記載の取引端末装置であって、
前記所定の画面は、所定の入力操作に応じて予め指定された、前記階層関係のうちいずれかの階層に割り当てられた画面である、
取引端末装置。
【請求項９】
請求項５に記載の取引端末装置であって、
前記所定の画面は、前記一連の決済手続を含む決済処理に関する画面として前記タッチパネルにおける表示頻度が所定値以上であり、前記所定の階層より上位階層に割り当てられた画面である、
取引端末装置。
【発明の詳細な説明】
【技術分野】
【０００１】
本発明は、取引における決済処理の手続を行うために使用される取引端末装置に関する。
【背景技術】
【０００２】
従来、取引における決済処理の手続を行うために使用される取引端末装置に搭載されたタッチパネルでは、各種のソフトウェアキー（「ソフトウェアキーボード」とも呼ばれる）が操作可能に表示される。これらのソフトウェアキーの中には、取引端末装置を主に使用する操作者（例えば、購入者が保持するクレジットカードを用いた取引の決済処理を取り扱う加盟店（例えば店舗）の店員）にとって取引上重要な意味を持つ売上登録キーや確認完了キー等が含まれる。
【０００３】
ここで、売上登録キーは、例えば購入者に対する与信が問題なく完了し、購入額を売上金額として計上する際に押下される。確認完了キーは、例えばクレジットカードを用いた取引において、決済センタとの通信を開始する前に入力される各種項目（例えば、購入額、支払回数、カードブランド、購入者により入力されたＰＩＮ（Personal Identification Number：暗証番号）等）の内容の確認が完了した際に押下される。
【０００４】
タッチパネルのソフトウェアキーに対する入力操作を用いて取引の内容を処理する業務用端末に関する先行技術として、特許文献１及び２がそれぞれ知られている。
【０００５】
特許文献１に示す小型決済端末は、タッチパネル式表示部の表示領域に、情報表示エリア及び情報入力エリアが設定され、情報入力エリアにテンキー画像パターンを表示させ、テンキー画像パターンに対する入力操作を可能にする。また、この小型決済端末は、プリンタを備えており、決済処理の結果等の情報を予め内蔵されたロール紙に印字し、印字内容が印字されたレシートを排紙口から排出する。
【０００６】
また、特許文献２に示すタッチパネル搭載の販売管理装置は、操作者がタッチパネルを押下している時間を計測し、この押下時間が既定の押下認識時間を超えたとき、タッチパネルの正常な押下があったとしてタッチパネルの押下に応じた処理を行い、一方、押下時間が既定の押下認識時間以下であるとき、タッチパネルの押下に応じた処理の内容を無視する制御を行う。
【先行技術文献】
【特許文献】
【０００７】
【特許文献１】特開２０１１−４８４８６号公報
【特許文献２】特開２０００−２３１６７０号公報
【発明の概要】
【発明が解決しようとする課題】
【０００８】
しかし、特許文献１，２を含む従来の取引端末装置では、上述した売上登録キーや確認完了キー等の操作者にとって重要な意味を持つソフトウェアキーの誤操作を防止することが難しかった。例えばこのような取引上重要な意味を持つソフトウェアキーが簡単に誤操作されてしまうと、取引の安全な遂行上、加盟店側にとっても顧客側にとっても支障が生じることになり、不都合である。
【０００９】
言い換えると、取引上重要な意味を持つ操作がソフトウェアキーで行えてしまうことにより、誤操作が簡単に誘発されてしまう可能性もある。例えばソフトウェアキーではなく物理キー（例えばボタン）の場合には、操作者が指で物理キーに接触し、更に、当該物理キーを押し込む、という２段階の行為が必要となるので、操作者は、取引上重要な意味を持つ操作を行う際には当該物理キーを押下したことを比較的意識し易かった。
【００１０】
ところが、タッチパネルが搭載された取引端末装置では、画面上に表示されたソフトウェアキーに操作者の指等が簡単に接触しただけで、物理キーに対する２段階の操作と同様に、当該ソフトウェアキーを押下した操作と同等になるので、操作者は、取引上重要な意味を持つソフトウェアキー（以下、「重要キー」という）に対して簡単に誤操作する可能性があった。
【００１１】
本発明は、上述した従来の状況に鑑みて、タッチパネルに対する所定の入力操作を介することで、操作者に対し、取引上重要な意味を持つ入力操作の実行を明確に意識させ易くし、誤操作の誘発を抑制する取引端末装置を提供することを目的とする。
【課題を解決するための手段】
【００１２】
本発明は、一連の決済手続を含む決済処理に関する各種の画面を表示するタッチパネルと、前記タッチパネルに表示された前記画面に対する入力操作を検出する入力操作検出部と、所定時間以上、入力操作が検出されない場合に、前記タッチパネルの表示を暗い表示に移行させるモード制御部と、前記暗い表示に移行した後、前記入力操作検出部が前記入力操作を検出したことで前記暗い表示が解除された場合に、前記タッチパネルに表示させる画面の切替要否を判断する画面切替判断部と、を備え、前記タッチパネルに表示される各種の画面には、前記一連の決済手続を含む決済処理を実行するための階層関係がそれぞれ割り当てられ、前記画面切替判断部は、前記暗い表示への移行直前に前記タッチパネルに表示されていた画面が前記階層関係の所定の階層より上位階層に割り当てられた画面であるのか、又は前記所定の階層より下位階層に割り当てられた画面であるのかに基づいて、画面の切替要否を判断する、取引端末装置である。
【００１３】
この構成では、取引端末装置は、タッチパネルに決済処理に関するいずれかの画面が表示された際、当該画面に対する入力操作を検出するが、その画面において一定時間以上にわたって入力操作が検出されない場合には、タッチパネルを暗い表示（例えばスリープモード）に移行させる。また、取引端末装置は、暗い表示（例えばスリープモード）に移行した後に、入力操作が検出されたことで暗い表示（例えばスリープモード）が解除された際、暗い表示（例えばスリープモード）への移行直前にタッチパネルに表示されていた画面の種類に応じて、タッチパネルに表示させる画面の切替の要否を判断する。
【００１４】
これにより、取引端末装置は、暗い表示（例えばスリープモード）の移行直前に表示されていた画面の種類は操作者が自己の判断又は意識の下で入力操作を行ったかどうかによって異なることに着目すれば、タッチパネルの表示の暗い表示（例えばスリープモード）の解除の際に、暗い表示（例えばスリープモード）の移行直前に表示されていた画面の種類（種別）に応じて、暗い表示（例えばスリープモード）の解除後の画面を切り替えるので、操作者の意図しない画面の表示を抑制することができ、更に、操作者に対する入力操作の利便性を向上することができる。
【００１５】
また、本発明は、前記画面切替判断部は、前記暗い表示への移行直前に前記タッチパネルに表示されていた画面が、前記所定の階層関係において規定される所定の階層より上位の階層に割り当てられた画面である場合に、前記暗い表示への移行直前に前記タッチパネルに表示されていた画面を所定の画面に切り替えて前記タッチパネルに表示させる、取引端末装置である。
【００１６】
この構成では、取引端末装置は、暗い表示（例えばスリープモード）への移行直前にタッチパネルに表示されていた画面が所定の階層関係において規定される所定の階層より上位の階層に割り当てられた画面である場合に、暗い表示（例えばスリープモード）への移行直前にタッチパネルに表示されていた画面を所定の画面に切り替えてタッチパネルの表示部に表示させる。
【００１７】
これにより、取引端末装置は、所定の階層（例えばメニュー。以下同様。）より上位の階層に割り当てられた画面が暗い表示（例えばスリープモード）への移行直前に表示されていた場合には、例えば操作者は具体的にどの処理を目的としていたかを選択又は模索していた可能性が高いことに着目すれば、暗い表示（例えばスリープモード）が解除された後にタッチパネルに表示させる画面を所定の画面に切り替えることによって、操作者の希望する処理を簡易に選択させることができる。
【００１８】
また、本発明は、前記画面切替判断部は、前記暗い表示への移行直前に前記タッチパネルに表示されていた画面が、前記所定の階層から下位の階層に割り当てられた画面である場合に、前記暗い表示への移行直前に前記タッチパネルに表示されていた画面の表示を継続させる、取引端末装置である。
【００１９】
この構成では、取引端末装置は、暗い表示（例えばスリープモード）への移行直前にタッチパネルに表示されていた画面が所定の階層より下位の階層に割り当てられた画面である場合に、暗い表示（例えばスリープモード）への移行直前にタッチパネルに表示されていた画面の表示を継続させる。
【００２０】
これにより、取引端末装置は、所定の階層より下位の階層に割り当てられた画面が暗い表示（例えばスリープモード）への移行直前に表示されていた場合には、例えば操作者は具体的にいずれかの処理を実行させることを目的としていた可能性が高いことに着目すれば、暗い表示（例えばスリープモード）が解除された後にタッチパネルに表示させる画面を暗い表示（例えばスリープモード）への移行直前に表示されていた画面のまま表示を継続することによって、操作者の希望する処理を迅速に実行することができる。
【００２１】
また、本発明は、前記各種の画面は、決済処理に関する複数の画面であり、前記所定の画面は、前記決済処理に関する複数の画面のうち、前記暗い表示への移行直前に前記タッチパネルに表示されていた画面に対応する階層より上位の階層に割り当てられた画面である、取引端末装置である。
【００２２】
この構成によれば、所定の画面は、決済処理に関する複数の画面のうち暗い表示（例えばスリープモード）への移行直前にタッチパネルに表示されていた画面に対応する階層よりも上位の階層に割り当てられた画面であるため、取引端末装置は、暗い表示（例えばスリープモード）が解除された後にタッチパネルに表示させる画面として、操作者の希望する処理又はメニューを簡易に選択させることができる。
【００２３】
また、本発明は、前記所定の画面は、所定の入力操作に応じて予め指定された、前記所定の階層関係のうちいずれかの階層に割り当てられた画面である、取引端末装置である。
【００２４】
この構成によれば、所定の画面は、所定の入力操作に応じて予め指定された所定の階層関係のうちいずれかの階層に割り当てられた画面であるため、取引端末装置は、暗い表示（例えばスリープモード）が解除された後にタッチパネルに表示させる画面として、所定の入力操作（例えばアクワイヤラや決済プロセッサからの指示）に応じた階層に割り当てられた画面を表示するので、操作者が操作に迷った又は困った際の起点となるメニューを表示することで、操作者の操作に対する利便性を向上することができる。
【００２５】
また、本発明は、前記所定の画面は、前記決済処理に関する画面として前記タッチパネルにおける表示頻度が所定値以上であり、前記所定の階層より上位の階層に割り当てられた画面である、取引端末装置である。
【００２６】
この構成によれば、所定の画面は、決済処理に関する画面としてタッチパネルにおける表示頻度が所定値以上であり、所定の階層より上位の階層に割り当てられた画面であるため、取引端末装置は、暗い表示（例えばスリープモード）が解除された後にタッチパネルに表示させる画面として、操作者が頻繁に使用する処理又はメニューを表示させることで、操作者の操作時の安心感を与えるとともに利便性を向上することができる。
【発明の効果】
【００２７】
本発明によれば、タッチパネルに対する所定の入力操作を介することで、操作者に対し、取引上重要な意味を持つ入力操作の実行を明確に意識させ易くし、誤操作の誘発を抑制することができる。
【００２８】
また、本発明によれば、少なくとも決済処理に関する画面が表示されている場合には、操作者からの入力操作が無い状態が所定時間以上にわたって継続した場合でも、スリープモードへの移行を回避することができ、取引内容の決済処理を迅速に完了させることができる。
【００２９】
また、本発明によれば、タッチパネルのスリープモードの解除の際に、操作者の意図しない画面の表示を抑制することができ、操作者に対する入力操作の利便性を向上することができる。
【００３０】
また、本発明によれば、プリンタが動作している間、一部の機能又は処理を一時的に抑制又は停止することで、筺体の内部に収容された電源部に流入する総電流量を低減することができ、消費電力を抑制することができる。
【図面の簡単な説明】
【００３１】
【図１】第１〜第４の各実施形態の決済端末装置の外観を示す斜視図
【図２】第１の実施形態の決済端末装置のハードウェア構成の一例を具体的に示すブロック図
【図３】第１の実施形態の決済端末装置の決済処理手順を説明するフローチャート
【図４】図３に示すステップＳ６で顧客が取引内容に関して入力内容を確認したことを示す所定の入力操作が行われたか否かを判断するための判断手順を説明するフローチャート
【図５】決済端末装置に搭載されたタッチパネルに表示された画面を示す図
【図６】第２の実施形態の決済端末装置の決済処理手順を説明するフローチャート
【図７】第２の実施形態の決済端末装置のスリープモード移行処理手順を説明するフローチャート
【図８】（Ａ）決済処理に関する画面を示す図、（Ｂ）スリープモードに移行した場合の表示部の画面を示す図
【図９】第３の実施形態の決済端末装置のハードウェア構成の一例を具体的に示すブロック図
【図１０】表示部に表示される複数のメニュー画面の階層構造を示す図
【図１１】第３の実施形態の決済端末装置の決済処理手順を説明するフローチャート
【図１２】第３の実施形態の決済端末装置のスリープモードからの復帰処理手順を説明するフローチャート
【図１３】（Ａ）スリープモードへの移行直前に表示されていたメニュー画面を示す図、（Ｂ）（Ａ）のメニュー画面においてスリープモードから復帰した時に表示される上位のメニュー画面を示す図、（Ｃ）スリープモードへの移行直前に表示されていたメニュー画面を示す図、（Ｄ）（Ｃ）のメニュー画面においてスリープモードから復帰した時に表示される直前の画面としてのメニュー画面を示す図
【図１４】第４の実施形態の決済端末装置のハードウェア構成の一例を具体的に示すブロック図
【図１５】第４の実施形態の決済端末装置の図３に示すステップＳ８のレシート印刷の動作手順を説明するフローチャート
【発明を実施するための形態】
【００３２】
以下、本発明に係る取引端末装置の各実施形態について、図面を参照して説明する。以下の各実施形態では、本発明に係る取引端末装置の一例として、取引における決済処理の手続を行うために使用される決済端末装置を例示して説明する。
【００３３】
（第１の実施形態）
図１は、第１〜第４の各実施形態の決済端末装置１の外観を示す斜視図である。図１に示す決済端末装置１は、例えば磁気読み取りタイプのクレジットカードの決済を行うための決済端末装置に用いることができる。
【００３４】
図１に示す決済端末装置１は、印刷用紙Ｐが排出される開口部２Ａにおいて、上方が開口した矩形箱状の本体２と、本体２の開口部２Ａを覆う蓋部３とを有する。以下の説明において、蓋部３側を上とし、本体２側を下として説明する。
【００３５】
蓋部３の上面には、表示部３Ｂ（例えば液晶表示板を用いて構成、図２参照）及びタッチ入力検出部３Ｃ（例えばタッチスクリーンを用いて構成、図２参照）により構成されるタッチパネル３Ｄと、決済端末装置１の電源をＯＮ又はＯＦＦにするための電源スイッチ３Ｅと、直前に行った入力操作をキャンセルして一つ前の状態に戻るための戻るキー３Ｆとが設けられる。
【００３６】
なお、図１に示す決済端末装置１において、戻るキー３Ｆが省略されてもよく、この場合には、戻るキー３Ｆに対する入力操作がタッチパネル３Ｄに対して行われた際に戻るキー３Ｆの押下操作と実質的に同一の処理が行われればよい。
【００３７】
タッチパネル３Ｄを構成する表示部３Ｂには、各種の操作に必要なソフトウェアキーボードの一例としてのソフトウェア操作キー、数字入力を行うためのソフトウェアキーボードの一例としてのソフトウェア数字キー、このソフトウェア数字キーにより入力された数字、各種の操作を行うために必要な情報又は操作された結果を示す情報等が表示される。
【００３８】
図２は、第１の実施形態の決済端末装置１のハードウェア構成の一例を具体的に示すブロック図である。図２に示す決済端末装置１は、情報処理部２０を有する。
【００３９】
図２に示す決済端末装置１の情報処理部２０は、決済端末装置１の各部の処理を全体的に司るためのＣＰＵ２１と、局所無線通信アンテナ２３が接続された局所無線通信部２２と、広域無線通信アンテナ２５が接続された広域無線通信部２４と、表示部３Ｂ及びタッチ入力検出部３Ｃにより構成されるタッチパネル３Ｄと、フラッシュＲＯＭ３２と、ＤＲＡＭ３３と、キーパッド部３４と、磁気カードリーダ部３５と、耐タンパ制御部３６と、ＳＲＡＭ３７と、バックアップ電池３８と、プリンタモジュール４に接続されたプリンタＩ／Ｆ４１と、開状態検知スイッチ２Ｂに接続された開状態検知部４２とを含む構成である。
【００４０】
ＣＰＵ２１（Central Processing Unit）は、例えば操作者による長押し操作等を検出するためのタイマ２１Ａを有し、決済端末装置１の各部の動作を全体的に統括するための制御処理、他の各部との間のデータの入出力処理、データの演算（計算）処理及びデータの記憶処理を行う。
【００４１】
局所無線通信部２２は、局所無線通信アンテナ２３と接続されており、不図示の局所無線通信路を介して、例えば無線ＬＡＮ（Local Area Network）による無線通信を行う。局所無線通信は、例えば無線ＬＡＮに限定されず、Ｂｌｕｅｔｏｏｔｈ（登録商標）、その他でもよい。
【００４２】
広域無線通信部２４は、広域無線通信アンテナ２５と接続されており、不図示の広域無線通信路（ＷＡＮ：Wide Area Network）を介して、広域無線通信を行う。広域無線通信は、例えばＷ−ＣＤＭＡ（Wideband Code Division Multiple Access）、ＵＭＴＳ（Universal Mobile Telecommunications System）、ＣＤＭＡ（Code Division Multiple Access）２０００、ＬＴＥ（Long Term Evolution）等の携帯電話回線による通信を用いることができる。
【００４３】
本実施形態の決済端末装置１は、通信機能として２つの無線通信部、すなわち局所無線通信部２２及び広域無線通信部２４を搭載しているが、いずれか片方を搭載してもよい。また、無線通信部の代わりに、ＩＥＥＥ８０２．３などの有線ＬＡＮ、公衆電話回線又は専用電話回線などによる有線通信部を備えてもよい。
【００４４】
表示部３Ｂは、例えばＬＣＤ（Liquid Crystal Display）又は有機ＥＬ（Electroluminescence）を用いて構成され、ＣＰＵ２１の指示に応じて決済端末装置１においてインストールされているアプリケーション（不図示）において使用される各種のアプリケーション画面、情報、データを表示する。
【００４５】
入力操作検出部の一例としてのタッチ入力検出部３Ｃは、タッチパネル３Ｄに対する操作者（例えばクレジットカードの加盟店の店員、又は商品を購入した顧客）の入力操作を検出する。
【００４６】
フラッシュＲＯＭ（Read Only Memory）３２は、各種のデータを記憶する。記憶されるデータは、例えば業務に関わるデータでもよいし、決済端末装置１（主に情報処理部２０）の動作を制御するためのプログラムでもよい。また、プログラムには、決済処理部の一例としての決済先装置（例えばアクワイヤラ又は決済プロセッサ）との間で決済処理を行うための決済処理用アプリケーション等、決済端末装置１の動作に係る各種プログラムが含まれる。このため、フラッシュＲＯＭ３２は、プログラムを記録する記録媒体としての機能を有する。
【００４７】
なお、アクワイヤラとは、特定のクレジットカードの取引を取扱う加盟店契約を募集し、そのクレジット売上を統括する会社である。また、決済プロセッサとは、アクワイヤラから業務委託を受けて決済を代行する会社である。
【００４８】
ＤＲＡＭ（Dynamic Random Access Memory）３３は、決済端末装置１（主に情報処理部２０）の動作に伴う演算処理等の際に、その途中において発生する処理データを一時的に記憶する等のために用いられるワークメモリである。
【００４９】
キーパッド部３４は、図１に示す電源スイッチ３Ｅと「戻る」キー３Ｆとからなる。
【００５０】
磁気カードリーダ部３５は、磁気カードをスライドさせるためのスリット（不図示）とともに、図１においてロック解除ボタン５Ａが設けられた本体側面２Ｈとは反対側の本体側面に設けられる。磁気カードリーダ部３５が磁気カードの磁気ストライプから読み取ったカード情報は、ＣＰＵ２１に入力される。
【００５１】
印字部の一例としてのプリンタモジュール４は、バス変換／信号変換を行うプリンタインタフェース（以下、「プリンタＩ／Ｆ」）４１を介してＣＰＵ２１に接続され、ＣＰＵ２１の制御の下で、ＣＰＵ２１により指示された情報又はデータを印刷用紙Ｐに印字する。
【００５２】
開状態検知スイッチ２Ｂは、本体２に設けられ、例えば操作者により蓋部３が開けられたことを検知し、検知結果を開状態検知部４２を介してＣＰＵ２１に出力する。つまり、ＣＰＵ２１には、蓋部３が開けられた状態であるか、又は蓋部３が閉じた状態であるかを示す信号が入力される。
【００５３】
この他、情報処理部２０を始めとする決済端末装置１の各部へ電力を供給するための電源部（不図示）が設けられる。
【００５４】
ＣＰＵ２１、耐タンパ制御部３６及びＳＲＡＭ（Static Random Access Memory）３７は、バックアップ電池３８と接続され、電源部（不図示）からの電力の供給が停止している間、バックアップ電池３８から電力の供給を受ける。
【００５５】
耐タンパ制御部３６は、決済端末装置１の耐タンパ性を確保する。「耐タンパ性」とは、装置内部のソフトウェアやハードウェアの不正な解析、改変又は装置内部の情報の不正な奪取、改変、利用不能にする攻撃に対する耐性のことを言う。即ち、耐タンパ性は、例えばソフトウェア又はハードウェアが備える内部構造や記憶しているデータの解析の困難さである。耐タンパ性を備えることで、例えばサービス享受者（例えば顧客）の情報を保護し、取引を安全に行うことができる。サービス享受者の情報は、例えばＳＲＡＭ３７に記憶され、耐タンパ制御部３６は、上述した不正な解析、改変、攻撃、情報の奪取又はそれらの兆候を検知すると、ＳＲＡＭ３７に記憶された情報を消去又はアクセス不能にする。
【００５６】
なお、情報処理部２０には、非接触型ＩＣカードに記録されたカード情報を読み取る非接触型ＩＣカードリーダライタ部、接触型ＩＣカードに記録されたカード情報を読み取る接触型ＩＣカードリーダ部が設けられてもよい。非接触型ＩＣカードリーダライタ部又は接触型ＩＣカードリーダ部により読み取られたカード情報は、ＣＰＵ２１に入力される。
【００５７】
次に、本実施形態の決済端末装置１の動作について、図３を参照して説明する。図３は、第１の実施形態の決済端末装置１の決済処理手順を説明するフローチャートである。図３では、例えば顧客が保持する磁気クレジットカードを使って決済処理を行う場合を説明する。
【００５８】
図３において、先ず、ＣＰＵ２１は、タッチパネル３Ｄの表示部３Ｂに対し、決済処理用アプリケーションを開始するために操作者に対して磁気カード読み取り動作を促すためのプロンプト（画面）を表示させる（Ｓ１）。加盟店（例えば店舗）の店員が顧客の保持する磁気クレジットカードの読み取り操作を行うと、磁気カードリーダ部３５は、磁気クレジットカードに記録された情報を読み取る。ＣＰＵ２１は、磁気カードリーダ部３５により読み取られた情報を受けると、決済処理用アプリケーションにおいて決済処理の対象となる取引内容の入力画面（例えば図５参照）をタッチパネル３Ｄの表示部３Ｂに表示させる。
【００５９】
この後、店舗の店員は、顧客に確認を取りながら、タッチパネル３Ｄに対し、決済処理の対象となる取引内容に関する情報を入力する操作を行う。ＣＰＵ２１は、タッチ入力検出部３Ｃを介して、これらの入力操作を検出する。
【００６０】
例えば、操作者（例えば店員）の入力操作によって、磁気クレジットカードのカードブランドが選択され、この選択されたカードブランドに関する情報がＣＰＵ２１に入力される（Ｓ２）。続いて、操作者（例えば店員）の入力操作によって、決済金額が入力され、この入力された決済金額に関する情報がＣＰＵ２１に入力される（Ｓ３）。更に、支払方法（例えば１回払い、分割払い等）が選択され、かつ、支払回数が入力され、これらの選択された支払方法及び入力された支払回数に関する情報がＣＰＵ２１に入力される（Ｓ４）。
【００６１】
支払方法等の情報が入力されると、今度は、顧客が、タッチパネル３Ｄの表示部３Ｂに表示された署名ＰＡＤの署名入力領域（不図示）に対し、顧客自身の署名を入力する。ＣＰＵ２１は、タッチ入力検出部３Ｃを介して入力された署名に関する情報を取得する（Ｓ５）。
【００６２】
この後、顧客は、タッチパネル３Ｄに対し、決済処理の対象となる取引内容に関して最終的に入力内容を確認する操作を行い、入力内容を確認したことを示す所定の入力操作（詳細は後述する）を行う。ＣＰＵ２１は、顧客が入力内容を確認したことを示す所定の操作に応じて、局所無線通信部２２又は広域無線通信部２４で通信を行い、アクワイヤラ又は決済プロセッサ（不図示）に対し、入力された全ての入力内容（例えば、カード情報、、決済金額、支払方法、支払回数）を含む決済処理の要求を送信する（Ｓ６）。
【００６３】
決済先装置の一例としてのアクワイヤラ又は決済プロセッサから与信が与えられ、取引内容を許可するための判断結果が決済端末装置１に送信されると、ＣＰＵ２１は、決済処理の対象となる取引内容の確認結果を、タッチパネル３Ｄの表示部３Ｂに表示させる（Ｓ７）。更に、ＣＰＵ２１は、この決済処理の対象となる取引内容の確認結果をレシートとして、プリンタモジュール４に印刷させる（Ｓ８）。これにより、決済端末装置１の処理は終了する。なお、ＣＰＵ２１がフラッシュＲＯＭ３２に記憶された決済処理用アプリケーションのブログラムに従って、図３に示す決済処理に関する一連の処理を行う部分は、本発明に係る取引端末装置の決済処理部に相当する。
【００６４】
図４は、図３に示すステップＳ６で顧客が取引内容に関して入力内容を確認したことを示す所定の入力操作が行われたか否かを判断するための判断手順を説明するフローチャートである。図４に示すフローチャートの各処理は、例えば図３に示すステップＳ６の中で行われる。
【００６５】
図４において、ＣＰＵ２１は、タッチパネル３Ｄのタッチ入力検出部３Ｃにおいて、操作者の入力操作（タッチ入力）を検出する（Ｓ１１）。ＣＰＵ２１は、タッチ入力検出部３Ｃにより検出されたタッチ入力が、決済処理用アプリケーションの決済処理の対象となる取引内容の入力画面における特定の対象の一例としての所定の重要キー入力受付アイコン６１（図５参照）に対する入力操作であるか否かを判別する（Ｓ１２）。ここで、フラッシュＲＯＭ３２には、決済処理用アプリケーションの決済処理の対象となる取引内容の入力画面における重要キー入力受付アイコン６１の座標が、重要キー入力受付アイコン６１が表示される時点までに予め登録されている。ＣＰＵ２１は、この重要キー入力受付アイコン６１の座標と、タッチ入力位置（座標）とを照合することで、重要キー入力受付アイコン６１に対するタッチ入力の有無を判断する。
【００６６】
重要キー入力受付アイコン６１に対するタッチ入力であると判断された場合（Ｓ１２、ＹＥＳ）、ＣＰＵ２１は、重要キー入力受付アイコン６１に対する所定の入力操作が行われたか否かを判別する（Ｓ１３）。所定の入力操作は、例えば図５に示す重要キー入力受付アイコン６１の選択操作と、選択操作中の重要キー入力受付アイコン６１の移動操作と、移動操作後の重要キー入力受付アイコン６１の選択解除操作である。より具体的には、所定の入力操作は、ドラッグアンドドロップ操作であり、重要キー入力受付アイコン６１を選択してＹＥＳアイコン６３又はＮＯアイコン６５のいずれかにドラッグ（移動）し、その位置でドロップ（選択解除）した操作である。
【００６７】
重要キー入力受付アイコン６１に対する所定の入力操作として、例えば重要キー入力受付アイコン６１がＹＥＳアイコン６３にドラッグアンドドロップ操作が行われた場合（Ｓ１３、ＹＥＳ）、ＣＰＵ２１は、重要キー入力受付アイコン６１に対する所定の入力操作（入力確認）が行われたと判断する（入力受付、Ｓ１４）。これにより、図４に示すＣＰＵ２１の処理は終了する。また、重要キー入力受付アイコン６１に対する所定の入力操作として、例えば重要キー入力受付アイコン６１がＮＯアイコン６５にドラッグアンドドロップ操作が行われた場合（Ｓ１３、ＹＥＳ）にも、ＣＰＵ２１は、重要キー入力受付アイコン６１に対する所定の入力操作（否定）が行われたと判断する（入力受付、Ｓ１４）。これにより、図４に示すＣＰＵ２１の処理は終了する。
【００６８】
一方、重要キー入力受付アイコン６１に対する所定の入力操作が行われない場合、又は所定時間待っても重要キー入力受付アイコン６１がＹＥＳアイコン６３にドラッグアンドドロップする操作が行われない場合には（Ｓ１３、ＮＯ）、ＣＰＵ２１は、ステップＳ１１において入力されたタッチ操作の状態を維持し（Ｓ１５）、ＣＰＵ２１の処理はステップＳ１１に戻る。
【００６９】
また、タッチ入力検出部３Ｃにより検出されたタッチ入力が重要キー入力受付アイコン６１に対するタッチ入力であると判断されない場合には（Ｓ１２、ＮＯ）、ＣＰＵ２１は、タッチ入力検出部３Ｃにより検出されたタッチ入力がキー（つまり、重要キー以外のキー）である場合には（Ｓ１６，ＹＥＳ）、入力操作が行われたものと判断し（入力受付、Ｓ１４）、当該キーでない場合には（Ｓ１６，ＮＯ）、ＣＰＵ２１の処理はステップＳ１１に戻る。なお、ＣＰＵ２１がフラッシュＲＯＭ３２に記憶されたブログラムに従って、図４に示す入力操作を判別する処理は、本発明に係る取引端末装置の入力操作判別部に相当する。
【００７０】
図５は、決済端末装置１に搭載されたタッチパネル３Ｄに表示された画面を示す図である。タッチパネル３Ｄの表示部３Ｂには、決済処理用アプリケーションにおいて決済処理の対象となる取引内容の入力画面が表示され、この入力画面では決済処理に関する各種の情報５１が表示される。決済処理に関する各種の情報５１は、例えば決済金額、支払い方法、磁気クレジットカードのカードブランド、及び取引内容の確認要否項目が表示される。
【００７１】
具体的には、「金額  １２，３４５円」、「支払  １回払い」、「ブランド  ＊＊＊」（＊＊＊はクレジットカードのブランド名）、「よろしいですか  （Ｙ／Ｎ）」の情報が表示される。図５に示す取引内容の入力画面の中で、タッチ入力検出部３Ｃは、これらの各情報の表示位置に対応する入力領域５１ａ、５１ｂ、５１ｃ、５１ｄに対する操作者のタッチ入力を検出可能である。入力領域５１ａ、５１ｂ、５１ｃ、５１ｄのうち、例えば入力領域５１ｄは、取引内容の入力内容を確認するために表示され、取引内容の入力画面において重要な意味を持つ重要キー（特定の対象）に相当する。
【００７２】
また、決済処理に関する情報５１の下方には、ソフトウェアキーボードの一例としてのテンキー５３が表示される。更に、テンキー５３の下方には、重要キーに対する所定の入力操作が行われたことをＣＰＵ２１が判断するために設けられた重要キー入力受付アイコン６１、ＹＥＳアイコン６３及びＮＯアイコン６５が表示される。なお、本実施形態において、重要キーは、図５に示す入力領域５１ｄに対応して表示された取引内容の入力内容の確認要否項目（即ち、「Ｙ／Ｎ」）に限らず、上述した売上登録キーや確認完了キー等であってもよい。
【００７３】
なお、タッチパネル３Ｄの表示部３Ｂに表示された入力領域５１ａ、５１ｂ、５１ｃ、５１ｄに表示された内容は、該当するいずれかの入力領域に対してタッチ入力することで、その内容を変更可能である。例えば、売上金額の変更は、金額を表す入力領域５１ａをタップした後、テンキー５３をタッチ入力することで行われる。また、入力領域５１ａが重要キーであり、売上金額を確定する場合、操作者は、入力領域５１ａをタップして選択したのち、重要キー入力受付アイコン６１をＹＥＳアイコン６３の位置までドラッグアンドドロップ操作する。これにより、売上金額（決済金額）は確定する。
【００７４】
また、決済処理に関する各種の情報５１を最終的に確認する、「よろしいですか（Ｙ／Ｎ）」の入力領域５１ｄは、本実施形態では重要キーとして説明している。操作者は、「よろしいですか（Ｙ／Ｎ）」が表示された状態において、若しくは、この重要キーをタップして選択した状態にした後（図５参照）、重要キー入力受付アイコン６１をＹＥＳアイコン６３の位置にドラッグアンドドロップ操作する。これにより、取引内容の入力確認が操作者によって行われたことになる。一方、操作者が重要キー入力受付アイコン６１をＮＯアイコン６５の位置にドラッグアンドドロップ操作すると、取引内容の入力確認が否定されるので、再び入力項目の変更が行われる。
【００７５】
以上により、本実施形態の決済端末装置１は、決済先装置との間で行われる決済処理に関する各種の画面のうちいずれかの画面がタッチパネル３Ｄに表示された際に、当該画面において特定の対象（例えば重要キー入力受付アイコン６１）に対する入力操作を検出し、重要キー入力受付アイコン６１に対する入力操作が所定の入力操作であるか否かを判別し、重要キー入力受付アイコン６１に対する入力操作が所定の入力操作である場合に、所定の入力操作に応じた処理（例えば取引内容の入力確認後の決済先装置との間の決済処理の要求）を実行する。
【００７６】
これにより、決済端末装置１は、タッチパネル３Ｄに表示された画面において、取引上重要な意味を有する操作として、例えば当該画面に表示された重要キー入力受付アイコン６１に対する入力操作が所定の入力操作であった場合に、所定の入力操作に応じた処理を実行するので、操作者に対し、取引上重要な意味を持つ入力操作の実行（即ち、タッチパネル３Ｄに表示された画面の重要キー入力受付アイコン６１に対する入力操作の実行）を明確に意識させ易くすることができ、取引上重要な意味を持つソフトウェアキー（重要キー）の誤操作の誘発を抑制することができる。
【００７７】
また、決済端末装置１は、決済処理に関する画面に所定の重要キー入力受付アイコン６１をタッチパネル３Ｄに表示させるので、タッチパネル３Ｄに表示された画面において重要キーに対する入力操作の際には、常に重要キー入力受付アイコン６１に対する所定の入力操作が必要であることを、操作者に明確に意識させることができる。
【００７８】
また、決済端末装置１は、タッチパネル３Ｄに表示された画面において、重要キー入力受付アイコン６１に対するドラッグアンドドロップ操作が行われた場合に、重要キーに対する決済処理を実行するので、ドラッグアンドドロップ操作が汎用のＰＣ（Personal Computer）等で多用されている操作であることに鑑みれば、操作者の誤操作を簡易に抑制することができる。
【００７９】
なお、上述した第１の実施形態では、重要キーに対する入力操作であることを、操作者に意識させるために、重要キー入力受付アイコン６１をドラッグアンドドロップ操作させたが、重要キー入力受付アイコン６１に対する所定の入力操作は、このドラッグアンドドロップ操作に限定されない。
【００８０】
例えば、決済端末装置１は、タッチパネル３Ｄに表示された画面において、重要キー入力受付アイコン６１が所定時間の間にわたって長押しされ、その後、１回以上の選択操作（例えばダブルタップ操作）が行われた場合に、重要キー入力受付アイコン６１に対するドラッグアンドドロップ操作が行われた場合と同様に、重要キーに対する決済処理を実行する。これにより、決済端末装置１は、ドラッグアンドドロップ操作とは異なり、重要キー入力受付アイコン６１を画面上で移動させなくてもよく、更に、タッチパネル３Ｄへの指示媒体（例えば操作者の指又はスタイラスペン）の画面上の操作範囲が少なくてよいので、操作者に対し、より簡易に所定の入力操作を行わせることができる。なお、１回以上の選択操作の後の長押しとしても、同様に実施可能である。
【００８１】
（第２の実施形態の内容に至る経緯）
先ず、第２の実施形態を説明する前に、第２の実施形態の決済端末装置１の内容に至る経緯について説明する。
【００８２】
上述した特許文献１を含む従来の取引端末装置は、操作者が所定時間（例えば１分間）の間に何かしらの入力操作をしなかった場合には、例えばＰＣにおいて画面の焼き付き防止や省電力化を図るために、スリープモード（即ち、タッチパネルの表示部の電源を一時的にオフするモード）に移行していた。
【００８３】
しかし、決済処理には多くの時間がかかることがあるので、スリープモードに移行した場合には、決済処理が途中で中断してしまうことになる。決済処理に多くの時間がかかる場合として、例えば決済端末装置と決済センタとの間でネットワーク環境が良好ではなく、通信処理に時間を要することが挙げられる。また、決済センタに多くの決済端末装置が接続されており、決済端末装置が決済処理の要求（例えば与信照会）のリクエストを送信しても、決済先装置から決済処理の応答が得られないことも挙げられる。更には、決済端末装置がシンクライアント (Thin client)で構成されている場合には、決済先装置との間でネットワークを流れるデータ転送量が従来のリッチクライアント（Rich Client）に比べて大幅に増加することも挙げられる。
【００８４】
従って、一旦決済処理が中断すると、決済処理を再開するためには、スリープモードから復帰させる操作を余儀なく行わなければならなかったので、手間がかかりしばしば復帰処理に時間を要し、顧客を待たせてしまうこともあった。
【００８５】
（第２の実施形態）
そこで、第２の実施形態では、少なくとも決済処理に関する画面が表示されている場合には、操作者からの入力操作が無い状態が所定時間以上にわたって継続した場合でも、スリープモードへの移行を回避し、取引内容の決済処理を迅速に完了させる取引端末装置の例について説明する。
【００８６】
第２の実施形態の決済端末装置１の外観は、上述した第１の実施形態の決済端末装置の外観（図１参照）と同一であるので、同一の符号を用いることで、その説明を省略する。また、第２の実施形態における決済端末装置１のハードウェア構成も、上述した第１の実施形態の決済端末装置（図２参照）と同一であるので、同一の符号を用いることで、その説明を省略する。以下、上述した第１の実施形態と異なる動作、つまり、スリープモードへの移行の有無の制御に関する動作について説明する。
【００８７】
本実施形態の決済端末装置１は、第１の実施形態と同様に、タッチパネル３Ｄにいずれかの画面が表示された際、当該画面に対する操作者の入力操作を検出するが、その画面において一定時間以上にわたって入力操作が検出されない場合には、タッチパネル３Ｄをスリープモードに移行させる。スリープモードでは、タッチパネル３Ｄの表示部３Ｂは画面を消灯し、タッチ入力検出部３Ｃは入力操作を検出しない。なお、スリープモードでは、タッチ入力検出部３Ｃは入力操作を検出してもよい。
【００８８】
図６は、第２の実施形態の決済端末装置１の決済処理手順を説明するフローチャートである。図６に示すフローチャートの各処理は、上述した第１の実施形態における図３に示すフローチャートの各処理と同一であるので、各処理の具体的な説明は省略する。
【００８９】
但し、図６に示す各処理は決済処理に関する処理であるため、本実施形態の決済端末装置１は、タッチパネル３Ｄの表示部３Ｂの画面に対する入力操作が検出されない場合でも、タッチパネル３Ｄの表示部３Ｂをスリープモードに移行させない。より具体的には、図６の矢印ｆで示される期間（即ち、ステップＳ１の磁気クレジットカードの読取りを促すためのスキャンプロンプトの表示処理から、ステップＳ７の決済処理の対象となる取引内容の確認結果の表示処理までの間）、決済端末装置１は、タッチパネル３Ｄの表示部３Ｂをスリープモードに移行させない。なお、ステップＳ８のレシート印字の処理では、決済端末装置１は、タッチパネル３Ｄの表示部３Ｂをスリープモードに移行させてもよい。
【００９０】
特に、決済先装置との間で通信を行っている間であるステップＳ６及びＳ７の各処理では、決済端末装置１は、タッチパネル３Ｄの表示部３Ｂをスリープモードへの移行を省略する。また、ステップＳ１〜Ｓ５の各処理においても、操作者の入力操作に時間がかかる場合も想定される。例えば、店員が席を外して商品を確認する必要がある場合や、顧客が急な用事でその場に居られなくなった場合等が挙げられる。
【００９１】
このように、操作者の操作に時間がかかることが想定される場合を考えると、ステップＳ１〜Ｓ５の各処理においても、決済端末装置１は、タッチパネル３Ｄの表示部３Ｂをスリープモードに移行させてもよい。
【００９２】
図７は、第２の実施形態の決済端末装置１のスリープモード移行処理手順を説明するフローチャートである。
【００９３】
図７において、ＣＰＵ２１は、入力操作の検出の有無を示すタッチ入力検出部３Ｃからの信号に応じて、操作者のタッチパネル３Ｄに対する入力操作が行われずに無操作であるか否かを判別する（Ｓ２１）。例えば無操作でなく、何かしらの入力操作が検出された場合には（Ｓ２１、ＮＯ）、ＣＰＵ２１は、タイマ２１Ａのカウント値（タイマ値）を０にクリアする（Ｓ２２）。この後、ＣＰＵ２１の処理はステップＳ２１に戻る。
【００９４】
一方、無操作であると判別された場合には（Ｓ２１、ＹＥＳ）、ＣＰＵ２１は、タイマ２１Ａが所定時間（例えば１分間）以上経過したか否かを判別する（Ｓ２３）。
【００９５】
所定時間が経過していない場合には（Ｓ２３、ＮＯ）、ＣＰＵ２１の処理はステップＳ２１に戻る。
【００９６】
一方、所定時間が経過した場合には（Ｓ２３、ＹＥＳ）、ＣＰＵ２１は、現在決済処理中であるか否かを判別する（Ｓ２４）。例えば、決済処理中とは、上述した決済処理用アプリケーションが起動しており、図６に示すステップＳ１〜Ｓ７のうちいずれかの処理を実行している最中である場合を指す。
【００９７】
決済処理中である場合には（Ｓ２４、ＹＥＳ）、ＣＰＵ２１は、タッチパネル３Ｄの表示部３Ｂをスリープモードへの移行を省略し、表示部３Ｂに表示されている決済処理に関する画面の表示（例えば図８（Ａ）参照）を継続させる（Ｓ２５）。この後、ＣＰＵ２１の処理はステップＳ２１に戻る。
【００９８】
一方、決済処理中でない場合には（Ｓ２４、ＮＯ）、ＣＰＵ２１は、タッチパネル３Ｄの表示部３Ｂをスリープモードに移行させ、表示部３Ｂを消灯し（図８（Ｂ）参照）、画面を暗くする（Ｓ２６）。この後、ＣＰＵ２１の処理はステップＳ２１に戻る。なお、ＣＰＵ２１がフラッシュＲＯＭ３２に記憶されたブログラムに従って、図７に示すスリープモードへの移行を制御する処理は、本発明に係る取引端末装置のスリープモード制御部に相当する。
【００９９】
図８（Ａ）は、決済処理に関する画面を示す図である。図８（Ｂ）は、スリープモードに移行した場合の表示部３Ｂの画面を示す図である。図８（Ａ）における入力受付アイコンＭＫ１，ＹＥＳアイコンＭＫ２，ＮＯアイコンＭＫ３は、それぞれ第１の実施形態の図５に示す重要キー入力受付アイコン６１，ＹＥＳアイコン６３，ＮＯアイコン６５に対応する。図８（Ｂ）では、画面を白地にすることで、表示部３Ｂの消灯を表している。
【０１００】
以上により、本実施形態の決済端末装置１は、タッチパネル３Ｄにいずれかの画面が表示された際、当該画面に対する入力操作を検出するが、その画面において一定時間以上にわたって入力操作が検出されない場合には、タッチパネル３Ｄをスリープモードに移行させる。また、決済端末装置１は、少なくとも決済先装置との間で行われる決済処理に関する画面がタッチパネル３Ｄの表示部３Ｂに表示されている間では、一定時間以上にわたって当該画面に対する入力操作が検出されなくても、タッチパネル３Ｄのスリープモードへの移行を省略し、タッチパネル３Ｄの表示部３Ｂに表示されている内容の表示を継続する。
【０１０１】
これにより、決済端末装置１は、少なくとも決済先装置との間で行われる決済処理に関する画面がタッチパネル３Ｄの表示部３Ｂに表示されている間では、操作者からの入力操作が無い状態が所定時間以上にわたって継続した場合でも、タッチパネル３Ｄのスリープモードへの移行を回避することができるので、決済処理を一時的に中断させることがなくなり、スリープモードから復帰させる入力操作をさせる必要がなくなるので、取引内容の決済処理を迅速に完了させることができる。
【０１０２】
また、決済端末装置１は、決済先装置との間で取引内容の決済処理（例えば与信照会や売上登録）について通信を行っている間には、タッチパネル３Ｄの表示部３Ｂのスリープモードに移行させず、タッチパネル３Ｄの表示部３Ｂに表示されている内容の表示を継続するので、決済先装置との間の通信が途切れてしまうことを回避することができ、決済先装置との間の決済処理を確実に完了することができる。
【０１０３】
（第３の実施形態の内容に至る経緯）
先ず、第３の実施形態を説明する前に、第３の実施形態の決済端末装置１の内容に至る経緯について説明する。
【０１０４】
上述した特許文献１を含む従来の取引端末装置は、操作者の入力操作が検出されてから所定時間（例えば１分間）が経過しても次の入力操作が検出されない場合には、画面の焼き付き防止や省電力化を図るために、画面をスリープモードに移行していた。また、取引端末装置は、スリープモード中に操作者の何かしらの入力操作を検出すると、画面のスリープモードを解除し、スリープモードへの移行直前に表示されていた画面を表示していた。
【０１０５】
しかし、従来の取引端末装置において、操作者の意図に反した何らかの入力操作が検出されそののちにスリープモードに移行した場合（例えば操作者が気付かずにタッチパネルに触れたり間違って入力と認識される操作（所謂、誤操作）を行い、その後、操作者の無操作状態が一定時間以上続いたためにスリープモードに移行した場合）には、次のような事態が想定された。つまり、操作者がスリープモードに移行する前の取引端末装置に対して何かしらの入力操作を行うことで、取引端末装置は、スリープモードを解除した場合に操作者にとって意図していない画面を表示することがあった。
【０１０６】
この結果、操作者は、自己が意図していない画面の表示に戸惑うとともに、本来予定していた入力操作を開始するまでに、少なからず手間と時間を費やさなければならないという課題があった。
【０１０７】
（第３の実施形態）
そこで、第３の実施形態では、取引端末装置のスリープモードの解除直後の、操作者の意図しない画面の表示を抑制し、操作者に対する入力操作の利便性を向上する取引端末装置の例について説明する。
【０１０８】
第３の実施形態の決済端末装置１の外観は、上述した第１の実施形態の決済端末装置の外観（図１参照）と同一であるので、同一の符号を用いることで、その説明を省略する。
【０１０９】
図９は、第３の実施形態の決済端末装置１のハードウェア構成の一例を具体的に示すブロック図である。また、決済端末装置１のハードウェア構成において、第１の実施形態の決済端末装置１と同一の構成要素については、同一の符号を用いることでその説明を省略する。
【０１１０】
ＣＰＵ２１は、第１の実施形態において説明したタイマ２１Ａ以外に、表示部３Ｂに表示される画面（例えばメニュー画面）の表示回数（表示頻度、使用頻度）を計数する使用頻度カウンタ２１Ｂを更に有する。
【０１１１】
使用頻度カウンタ２１Ｂは、所定の階層関係（階層構造、例えば図１０参照）が割り当てられた複数のメニュー画面に対し、各々のメニュー画面のタッチパネル３Ｄの表示部３Ｂにおける表示回数を計数する。例えば、使用頻度カウンタ２１Ｂは、ＣＰＵ２１が予めフラッシュＲＯＭ３２に登録されている各種アプリケーションの内容に対応したメニュー画面を読み出してタッチパネル３Ｄの表示部３Ｂに表示させる際、該当するメニュー画面の表示回数の値を「１」増加（インクリメント）する。なお、ＣＰＵ２１は、使用頻度カウンタ２１Ｂが表示回数をインクリメントする際、タイマ２１Ａによって計時される日時情報も併せて使用頻度カウンタ２１Ｂに記憶することが好ましい。
【０１１２】
後述するように、この使用頻度の高い（表示回数の多い）メニュー画面は、そのメニュー画面に対応する階層より下位の階層に割り当てられたメニュー画面がスリープモードから解除された際の戻り先（つまり、タッチパネル３Ｄの表示部３Ｂに表示される画面）として選択される。
【０１１３】
図１０は、表示部３Ｂに表示される複数のメニュー画面の階層構造を示す図である。複数のメニュー画面及びその階層構造を表すデータは、予めフラッシュＲＯＭ３２に格納されている。図１０に示す階層構造では、例えば仕切り線ｂの境界線より左側に上位のメニュー画面グループに属するメニュー画面（以下では、上位のメニュー画面）が割り当てられ、仕切り線ｂの境界線より右側に下位のメニュー画面グループに属するメニュー画面（以下では、下位のメニュー画面）が割り当てられている。また図１０では、例えば上位のメニュー画面から下位のメニュー画面が展開される。
【０１１４】
図１０では、例えば最上位の画面として、ルートメニュー、保守、シャットダウンの各メニュー画面が割り当てられる。ルートメニューのメニュー画面より下位のメニュー画面として、カード決済、業務、汎用等のメニュー画面が割り当てられる（展開される）。
【０１１５】
更に、カード決済のメニュー画面より下位のメニュー画面として、クレジットカード決済、デビットカード決済、電子マネープリペイド決済、電子マネーポストペイ決済の各メニュー画面が割り当てられる。
【０１１６】
また、クレジットカード決済のメニュー画面より下位のメニュー画面として、磁気カード決済、ＩＣカード決済の各メニュー画面が割り当てられる。
【０１１７】
また、磁気カード決済のメニュー画面より下位のメニュー画面として、スキャンプロンプト、ブランド選択、金額入力、支払方法・回数入力、ＰＡＤ署名入力、決済要求送信、決済結果表示、レシート印刷の各メニュー画面が割り当てられる。同様に、ＩＣカード決済のメニュー画面より下位のメニュー画面として、スキャンプロンプト、ブランド選択、金額入力、支払方法・回数入力、ＰＩＮ入力、決済要求送信、決済結果表示、レシート印刷の各メニュー画面が割り当てられる。
【０１１８】
一方、業務のメニュー画面より下位のメニュー画面として、売上管理、販売報告レポートの各メニュー画面が割り当てられる。同様に、汎用のメニュー画面より下位のメニュー画面として、電子メール、ネットブラウザの各メニュー画面が割り当てられる。また一方、保守のメニュー画面より下位のメニュー画面として、ソフトウェアバージョン管理、ユーザ管理の各メニュー画面が割り当てられる。
【０１１９】
本実施形態では、図１０に示す仕切り線ｂより左側のメニュー画面（つまり、上位のメニュー画面）において、スリープモードに移行してから復帰（つまりスリープモードが解除）する場合には、その戻り先は所定の画面（即ち、上位のメニュー画面（後述参照））となる。
【０１２０】
一方、図１０に示す仕切り線ｂより右側のメニュー画面（つまり、下位のメニュー画面）において、スリープモードに移行してから復帰する場合には、その戻り先はスリープモードへの移行直前にタッチパネル３Ｄの表示部３Ｂに表示されていたメニュー画面となる。
【０１２１】
図１１は、第３の実施形態の決済端末装置１の決済処理手順を説明するフローチャートである。図１１に示すフローチャートの各処理は、上述した第１の実施形態における図３に示すフローチャートの各処理と同一であるので、各処理の具体的な説明は省略する。
【０１２２】
第３の実施形態の決済端末装置１では、上述した第２の実施形態とは異なり、ＣＰＵ２１は、図１１の矢印ｇで示される期間（即ち、ステップＳ１の磁気クレジットカードの読取りを促すためのスキャンプロンプトの表示処理から、ステップＳ８で取引内容の各種入力事項の確認結果のレシートとしての印字処理までの間）、タッチパネル３Ｄの表示部３Ｂをスリープモードに移行させるが、この矢印ｇで示される期間では、スリープモードからの復帰時には、スリープモードへの移行直前に表示されていた画面を戻り先の画面として表示させる。
【０１２３】
図１２は、第３の実施形態の決済端末装置１のスリープモードからの復帰処理手順を説明するフローャートである。図１２に示す復帰処理は、決済端末装置１に対し、操作者の何かしらの入力操作（例えばキー操作）のイベントが発生した場合に実行される。入力操作のイベントは、電源スイッチ３Ｅ押下割り込み、タッチ入力検出部３Ｃへのタッチ検出割り込みなどである。イベントは、ポーリングによりその発生を認識されてもよい。
【０１２４】
図１２において、ＣＰＵ２１は、スリープモードへの移行直前にタッチパネル３Ｄの表示部３Ｂに表示されていた画面（直前の画面）の種類（種別や階層を含む。以下同様。）を判別する（Ｓ３１）。例えば、直前の画面の情報は、ＣＰＵ２１が、使用頻度カウンタ２１Ｂに保持される、最新の日時で読み込まれた画面の種類を調べることで、把握可能となる。
【０１２５】
ＣＰＵ２１は、直前の画面が、図１０に示す仕切り線ｂよりも上位のメニュー画面（つまり左側のメニュー画面）であるか、それとも下位のメニュー画面（つまり右側のメニュー画面）であるかを識別する（Ｓ３２）。
【０１２６】
直前の画面が図１０に示す仕切り線ｂよりも下位のメニュー画面である場合には（Ｓ３２、ＮＯ）、ＣＰＵ２１は、タッチパネル３Ｄの表示部３Ｂに、直前の画面の表示を継続させる（Ｓ３３）。例えば決済処理に関する具体的な処理内容に対応したメニュー画面は、図１０に示す仕切り線ｂよりも全て下位の画面であるので、決済端末装置１は、スリープモードから復帰する際、直前の画面をそのまま表示させる。
【０１２７】
一方、直前の画面が図１０に示す仕切り線ｂよりも上位のメニュー画面である場合には（Ｓ３２、ＹＥＳ）、ＣＰＵ２１は、タッチパネル３Ｄの表示部３Ｂに、所定の画面として、直前の画面よりも上位のメニュー画面を表示させる（Ｓ３４）。ステップＳ３３又はステップＳ３４の処理後、ＣＰＵ２１の処理は終了する。このように、ＣＰＵ２１は、スリープモードへの移行直前に表示されていた画面（メニュー画面）の種類に応じて、スリープモードが解除された後のタッチパネル３Ｄの表示部３Ｂにおけるメニュー画面の切替の要否を判断する。
【０１２８】
図１３（Ａ）は、スリープモードへの移行直前に表示されていたメニュー画面を示す図である。図１３（Ｂ）は、図１３（Ａ）のメニュー画面においてスリープモードから復帰した時に表示される上位のメニュー画面を示す図である。図１３（Ｃ）は、スリープモードへの移行直前に表示されていたメニュー画面を示す図である。図１３（Ｄ）は、図１３（Ｃ）のメニュー画面においてスリープモードから復帰した時に表示される直前の画面としてのメニュー画面を示す図である。言い換えると、図１３（Ｃ）に示すメニュー画面と、図１３（Ｄ）に示すメニュー画面とは同じである。
【０１２９】
以上により、第３の実施形態では、決済端末装置１は、タッチパネル３Ｄの表示部３Ｂに決済処理に関するいずれかのメニュー画面が表示された際、当該メニュー画面に対する入力操作を検出するが、そのメニュー画面において一定時間以上にわたって入力操作が検出されない場合には、タッチパネル３Ｄの表示部３Ｂをスリープモードに移行させる。また、決済端末装置１は、スリープモードに移行した後に、入力操作が検出されたことでスリープモードが解除された際、スリープモードへの移行直前にタッチパネル３Ｄの表示部３Ｂに表示されていたメニュー画面の種類に応じて、タッチパネル３Ｄの表示部３Ｂに表示させるメニュー画面の切替の要否を判断する。
【０１３０】
これにより、決済端末装置１は、スリープモードの移行直前に表示されていたメニュー画面の種類は操作者が自己の判断又は意識の下で入力操作を行ったかどうかによって異なることに着目すれば、タッチパネル３Ｄの表示部３Ｂのスリープモードの解除の際に、スリープモードの移行直前に表示されていたメニュー画面の種類（種別）に応じて、スリープモードの解除後のメニュー画面を切り替えるので、操作者の意図しないメニュー画面の表示を抑制することができ、更に、操作者に対する入力操作の利便性を向上することができる。
【０１３１】
また、決済端末装置１は、スリープモードへの移行直前にタッチパネル３Ｄの表示部３Ｂに表示されていたメニュー画面が所定の階層関係において規定される所定の階層より上位の階層に割り当てられたメニュー画面である場合に、スリープモードへの移行直前にタッチパネル３Ｄの表示部３Ｂに表示されていたメニュー画面を所定の画面に切り替えてタッチパネル３Ｄの表示部３Ｂに表示させる。これにより、決済端末装置１は、所定の階層より上位の階層に割り当てられたメニュー画面がスリープモードへの移行直前に表示されていた場合には、例えば操作者は具体的にどの処理を目的としていたかを選択又は模索していた可能性が高いことに着目すれば、スリープモードが解除された後にタッチパネル３Ｄの表示部３Ｂに表示させるメニュー画面を所定の画面に切り替えることによって、操作者の希望する処理を簡易に選択させることができる。
【０１３２】
また、決済端末装置１は、スリープモードへの移行直前にタッチパネル３Ｄの表示部３Ｂに表示されていたメニュー画面が所定の階層より下位の階層に割り当てられたメニュー画面である場合に、スリープモードへの移行直前にタッチパネル３Ｄの表示部３Ｂに表示されていたメニュー画面の表示を継続させる。これにより、決済端末装置１は、所定の階層より下位の階層に割り当てられたメニュー画面がスリープモードへの移行直前に表示されていた場合には、例えば操作者は具体的にいずれかの処理を実行させることを目的としていた可能性が高いことに着目すれば、スリープモードが解除された後にタッチパネル３Ｄの表示部３Ｂに表示させるメニュー画面をスリープモードへの移行直前に表示されていたメニュー画面のまま表示を継続することによって、操作者の希望する処理を迅速に実行することができる。
【０１３３】
なお、本実施形態では、図１０に示す仕切り線ｂより左側のメニュー画面において、スリープモードから復帰する際の戻り先は、所定の画面として、上位の画面であったが、次に示す戻り先であってもよい。例えば、決済処理におけるトップメニューの画面（即ち、カード決済のメニュー画面）が戻り先でもよい。これにより、所定の画面は、決済処理に関する複数の画面のうちスリープモードへの移行直前にタッチパネルに表示されていた画面に対応する階層よりも上位の階層に割り当てられた画面であるため、決済端末装置１は、スリープモードが解除された後にタッチパネル３Ｄの表示部３Ｂに表示させる画面として、操作者の希望する処理又はメニューを簡易に選択させることができる。
【０１３４】
また、アクワイヤラや決済プロセッサの管理者等により指定された特定のメニュー画面が戻り先でもよい。これにより、所定の画面は、アクワイヤラや決済プロセッサの管理者等による所定の入力操作に応じて予め指定された所定の階層関係のうちいずれかの階層に割り当てられた画面であるため、決済端末装置１は、スリープモードが解除された後にタッチパネル３Ｄの表示部３Ｂに表示させる画面として、所定の入力操作（例えばアクワイヤラや決済プロセッサからの指示）に応じた階層に割り当てられた画面を表示するので、操作者が操作に迷った又は困った際の起点となるメニューを表示することで、操作者の操作に対する利便性を向上することができる。
【０１３５】
また、フラッシュＲＯＭ３２により保持される複数のメニュー画面のうち、使用頻度カウンタ２１Ｂによって計数された使用頻度が所定値以上である画面（つまり、使用頻度の高い画面）が戻り先であってもよい。これにより、所定の画面は、決済処理に関する画面としてタッチパネル３Ｄの表示部３Ｂにおける表示頻度が所定値以上であり、所定の階層より上位の階層に割り当てられた画面であるため、決済端末装置１は、スリープモードが解除された後にタッチパネル３Ｄの表示部３Ｂに表示させるメニュー画面として、操作者が頻繁に使用する処理又はメニューを表示させることで、操作者の操作時の安心感を与えるとともに利便性を向上することができる。なお、使用頻度の高い画面が複数ある場合には、決済端末装置１は、例えば直前の画面より上位の画面を戻り先としてもよい。
【０１３６】
（第４の実施形態の内容に至る経緯）
先ず、第４の実施形態を説明する前に、第４の実施形態の決済端末装置１の内容に至る経緯について説明する。
【０１３７】
上述した特許文献１の小型決済端末は、タッチパネル式表示部の表示領域に、情報表示エリア及び情報入力エリアが設定され、情報入力エリアにテンキー画像パターンを表示させ、テンキー画像パターンに対する入力操作を可能にする。また、この小型決済端末は、プリンタを備えており、決済処理の結果等の情報を予め内蔵されたロール紙に印字し、印字内容が印字されたレシートを排紙口から排出する。この小型決済端末では、筺体の内部に収容されたＡＣアダプタを介して、外部の商用電源（例えばＡＣ１００Ｖ）からの電力が供給される。
【０１３８】
しかし、特許文献１の構成では、プリンタが動作している間、小型決済端末の紙送り機構の動力や印刷用紙への印字用の印字ヘッドの駆動のために多くの電力が消費されてしまう。このため、プリンタが動作している間（つまり印刷中）は、小型決済端末内部で多くの電力が消費されることになり、それによって小型決済端末内部の温度が急激に上昇した。従って、小型決済端末内部の温度が上昇すると、内部の回路基板に搭載された電子部品等に誤動作や劣化等の影響を与える可能性がある。このため、小型決済端末の電力消費を抑制し、ＡＣアダプタに流れる総電流量を抑制したいという要望があった。また、ＡＣアダプタには、大電力大電流が供給可能な、容積、重量の大きな部品を使用する必要があり、設置スペースが広く確保されているとはいえない店舗へ設置するためには、ＡＣアダプタを小型化したいという要望があった。
【０１３９】
（第４の実施形態）
そこで、第４の実施形態では、プリンタが動作している間、一部の機能又は処理を一時的に抑制又は停止することで、筺体の内部に収容された電源部に流入する総電流量を低減し、消費電力を抑制する取引端末装置の例について説明する。
【０１４０】
第４の実施形態の決済端末装置１の外観は、上述した第１の実施形態の決済端末装置の外観（図１参照）と同一であるので、同一の符号を用いることで、その説明を省略する。
【０１４１】
図１４は、第４の実施形態の決済端末装置１のハードウェア構成の一例を具体的に示すブロック図である。また、決済端末装置１のハードウェア構成において、第１の実施形態の決済端末装置１と同一の構成要素については、同一の符号を用いることでその説明を省略する。
【０１４２】
図１４に示す決済端末装置１は、図１に示す決済端末装置１の構成に加え、決済処理に関する画面を表示する表示部３Ｂを点灯して照明する照明部の一例としてのバックライト４６と、バックライト４６の点灯、減光（微灯）、消灯の各種制御を行うバックライト制御部４７とを更に有する。バックライト制御部４７はＣＰＵ２１に接続される。
【０１４３】
バックライト制御部４７は、ＣＰＵ２１からの指示に応じて、バックライト４６の点灯、減光、消灯の各種制御を行い、例えばバックライト４６を消灯、若しくは段階的に減光することでバックライト４６の消灯又は減光を行う。なお、バックライト制御部４７は、バックライト４６の発光量を連続的に可変可能な調光機能を有してもよい。
【０１４４】
また、図１４に示す決済端末装置１は、情報処理部２０に含まれる各部に対し、動力源としての電力を供給するための電源部４８を有する。この電源部４８は、決済端末装置１の筐体に収容されており、例えば比較的小容量のＡＣアダプタを用いて実現可能である。
【０１４５】
本実施形態の決済端末装置１における決済処理の流れは、上述した第１の実施形態の決済端末装置１における動作手順（図３参照）と同一であるので、その説明を省略し、以下では異なる動作について説明する。
【０１４６】
図１５は、第４の実施形態の決済端末装置１の図３に示すステップＳ８のレシート印刷の動作手順を説明するフローチャートである。
【０１４７】
図１５において、ＣＰＵ２１は、決済処理の対象となる取引内容の確認結果をレシートとして印刷（印字）する処理を開始する（Ｓ４１）。ＣＰＵ２１は、例えばステップＳ４１における印刷を開始すると同時に、バックライト制御部４７に指示を与え、バックライト４６を消灯若しくは減光させる（Ｓ４２）。消費電力を抑制する観点によれば、ＣＰＵ２１は、バックライト４６を消灯させる方が好ましい。なお、このバックライト４６を消灯若しくは減光させる動作は、ステップＳ４１で印刷処理が開始されてから、実際に印刷動作が始まる前又は印刷動作が始まってから行われる。消費電力を抑制する観点によれば、プリンタモジュール４の印字ヘッド、モータ（いずれも不図示）の動作や、プリンタＩ／Ｆ４１からプリンタモジュール４への印字データ転送処理等の印刷動作を開始させる前に、バックライトを消灯若しくは減光することが望ましい。
【０１４８】
ＣＰＵ２１は、印刷が終了したか否かを判別する（Ｓ４３）。印刷が終了していない場合には（Ｓ４３、ＮＯ）、ＣＰＵ２１の処理はステップＳ４２に戻る。
【０１４９】
一方、印刷が終了した場合には（Ｓ４３、ＹＥＳ）、ＣＰＵ２１は、バックライト制御部４７に指示を与え、消灯若しくは減光していたバックライト４６を点灯させる（Ｓ４４）。この後、ＣＰＵ２１の処理は、図３に示すステップＳ８の処理の時点に復帰する。即ち、決済端末装置１の動作は終了する。
【０１５０】
なお、ＣＰＵ２１は、ステップＳ４１において印刷を開始すると同時に、ステップＳ４２におけるバックライト４６の消灯／減光制御と並行して、タッチパネル３Ｄ（即ち、画面ＵＩ（User Interface：ユーザインタフェース）の入力操作の検出処理、及びグラフィック処理や液晶表示板ドライバの駆動など画面等の表示処理）を停止させる処理を行ってもよい（Ｓ４２Ａ）。言い換えると、ＣＰＵ２１は、画面ＵＩの停止処理（即ち、タッチパネル３Ｄの停止処理）において、タッチ入力検出部３Ｃによるタッチ入力操作の検出を停止し、また、表示部３Ｂによる画面（例えば決済処理に関する画面）の表示を停止する。この後、ＣＰＵ２１の処理はステップＳ４３に進む。
【０１５１】
また、ステップＳ４３で印刷が終了すると、ＣＰＵ２１は、ステップＳ４４におけるバックライト４６を点灯させるとともに、画面ＵＩ（タッチパネル３Ｄ）の停止を解除する処理を行う（Ｓ４４Ａ）。この後、ＣＰＵ２１の処理は終了し、図３に示すステップＳ８の処理の時点に復帰する。即ち、決済端末装置１の動作は終了する。
【０１５２】
以上により、第４の実施形態の決済端末装置１は、決済処理に関する情報をプリンタモジュール４において印字されている間、例えば決済処理に関する画面を表示するタッチパネル３Ｄの表示部３Ｂを照明するバックライト４６を減光又は消灯させる。
【０１５３】
これにより、決済端末装置１は、プリンタモジュール４が動作している間、一部の機能又は処理としてタッチパネル３Ｄの表示部３Ｂに対する照明を制御するバックライト４６を優先的に、一時的に減光（抑制）又は消灯（停止）させるので、決済端末装置１の筐体の内部に収容された電源部４８（例えばＡＣアダプタ）に流入する総電流量を低減することができ、更に、決済端末装置１における消費電力を抑制することができる。
【０１５４】
また、決済端末装置１は、プリンタモジュール４により決済処理に関する情報の印字が終了した後、減光又は消灯されていたバックライト４６を点灯させるので、消費電力が増える印字中を除く期間では、バックライト４６の点灯を継続しても、決済端末装置１の筐体の内部に収容される電源部４８に流入する総電流量の増大を抑制することができる。
【０１５５】
また、決済端末装置１は、プリンタモジュール４により決済処理に関する情報が印字されている間、優先的なバックライト４６の減光又は消灯の他に、決済処理に関する画面に対する入力操作を検出するためのタッチ入力検出部３Ｃを含むタッチパネル３Ｄの機能を一時的に停止するので、決済端末装置１の筐体の内部に収容される電源部４８に流入する総電流量の増大を一層抑制することができる。
【０１５６】
また、決済端末装置１は、プリンタモジュール４により決済処理に関する情報の印字が終了した後、タッチパネル３Ｄのタッチ入力検出部３Ｃにおける入力操作の検出の停止を解除するので、消費電力が増える印字中を除く期間では、バックライト４６の点灯の他に入力操作の検出処理を継続しても、決済端末装置１の筐体の内部に収容される電源部４８に流入する総電流量の増大を抑制することができる。
【０１５７】
また、決済端末装置１は、プリンタモジュール４により決済処理に関する情報が印字されている間、バックライト４６の減光又は消灯の他に、タッチパネル３Ｄの表示部３Ｂへの電源供給の処理を一時的に停止するので、決済端末装置１の筐体の内部に収容される電源部４８に流入する総電流量の増大を一層抑制することができる。
【０１５８】
また、決済端末装置１は、プリンタモジュール４により決済処理に関する情報の印字が終了した後、タッチパネル３Ｄの表示部３Ｂへの電源供給の停止を解除するので、消費電力が増える印字中を除く期間では、バックライト４６の点灯の他にタッチパネル３Ｄの表示部３Ｂへの電源供給を継続しても、決済端末装置１の筐体の内部に収容される電源部４８に流入する総電流量の増大を抑制することができる。
【０１５９】
以上、図面を参照しながら各種の実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【産業上の利用可能性】
【０１６０】
本発明は、タッチパネルに対する所定の入力操作を介することで、操作者に対し、取引上重要な意味を持つ入力操作の実行を明確に意識させ易くし、誤操作の誘発を抑制する取引端末装置として有用である。
【０１６１】
また、本発明は、少なくとも決済処理に関する画面が表示されている場合には、操作者からの入力操作が無い状態が所定時間以上にわたって継続した場合でも、スリープモードへの移行を回避し、取引内容の決済処理を迅速に完了させる取引端末装置として有用である。
【０１６２】
また、本発明は、タッチパネルのスリープモードの解除の際に、操作者の意図しない画面の表示を抑制し、操作者に対する入力操作の利便性を向上する取引端末装置として有用である。
【０１６３】
また、本発明は、プリンタが動作している間、一部の機能又は処理を一時的に抑制又は停止することで、筺体の内部に収容された電源部に流入する総電流量を低減し、消費電力を抑制する取引端末装置として有用である。
【符号の説明】
【０１６４】
１  決済端末装置
２  本体
２Ａ  開口部
２Ｂ  開状態検知スイッチ
２Ｈ  本体側面
３  蓋部
３Ａ  上面
３Ｂ  表示部
３Ｃ  タッチ入力検出部
３Ｄ  タッチパネル
３Ｅ  電源スイッチ
３Ｆ  戻るキー
４  プリンタモジュール
５Ａ  ロック解除ボタン
２０  情報処理部
２１  ＣＰＵ
２１Ａ  タイマ
２１Ｂ  使用頻度カウンタ
２２  局所無線通信部
２３  局所無線通信アンテナ
２４  広域無線通信部
２５  広域無線通信アンテナ
３２  フラッシュＲＯＭ
３３  ＤＲＡＭ
３４  キーパッド部
３５  磁気カードリーダ部
３６  タンパ制御部
３７  ＳＲＡＭ
３８  バックアップ電池
４１  プリンタＩ／Ｆ
４２  開状態検知部
４６  バックライト
４７  バックライト制御部
４８  電源部
５１ａ、５１ｂ、５１ｃ、５１ｄ  入力領域
５２  重要キー
５３  テンキー
６１  入力受付アイコン
６３  ＹＥＳアイコン
６５  ＮＯアイコン
【図１】
0005915872.tif 000002
【図２】
0005915872.tif 000003
【図３】
0005915872.tif 000004
【図４】
0005915872.tif 000005
【図５】
0005915872.tif 000006
【図６】
0005915872.tif 000007
【図７】
0005915872.tif 000008
【図８】
0005915872.tif 000009
【図９】
0005915872.tif 000010
【図１０】
0005915872.tif 000011
【図１１】
0005915872.tif 000012
【図１２】
0005915872.tif 000013
【図１３】
0005915872.tif 000014
【図１４】
0005915872.tif 000015
【図１５】
0005915872.tif 000016